(57)【特許請求の範囲】
【請求項１】
映像データをノンリニア編集するノンリニア編集装置において、
映像データと共に記憶されているユニバーサルタイムコード（ＵＴＣ：Universal Time Code）を参照し、複数の映像データを同期させる編集部と、
上記複数の映像データ毎に上記ユニバーサルタイムコードの最小単位よりも細かい単位でのオフセット量が記憶されるオフセット情報記憶部とを備え、
上記オフセット量は、上記ユニバーサルタイムコードに対する上記映像データの読み出し位置の誤差を補正するための情報である
ノンリニア編集装置。
【請求項２】
上記オフセット量は、上記ユニバーサルタイムコードの最小単位である秒よりも細かいフレーム単位で上記オフセット情報記憶部に記憶される
請求項１記載のノンリニア編集装置。
【請求項３】
上記編集部は、上記映像データと共に記憶されているユニバーサルタイムコードと、上記オフセット情報記憶部に記憶されるオフセット量とに基づいて上記複数の映像データを同期させる
請求項１記載のノンリニア編集装置。
【発明の詳細な説明】
【０００１】
【発明の属する技術分野】
本発明は、映像データ記録編集システムを構成するノンリニア編集装置に関する。
【０００２】
【従来の技術】
コンサートや各種スポーツイベント（例えば、ゴルフ、野球、サッカー、オリンピック）の収録には複数台の撮像カメラを用いるのが一般的である。これら複数台の撮像カメラで収録された映像はそのままでも貴重な映像資産であるが、一般には用途に応じた編集作業によって一つの映像資産へと加工される。
【０００３】
この編集作業では、編集場面の前後で時間軸のずれが生じないように、編集対象とする映像を互いに同期させることが重要となる。このため従来は、撮像時に撮像カメラ間を同軸ケーブルで接続し、ビデオテープ上に記録されるタイムコードの同期を確保する方法が採られている。図２に一例を示す。なお、図２はゴルフ場で選手のプレーを収録する場合の例である。この図２の例では、複数台の撮像カメラ１００間を同軸ケーブル１０１で接続している。
【０００４】
【発明が解決しようとする課題】
ところが、同軸ケーブルで撮像カメラ間を接続する方法は、現場での事前準備に要する作業負担が大きく、かつ、用意するケーブルが膨大で資材の負担も大きくなるという問題がある。また、同軸ケーブルで接続するため、撮像カメラの移動範囲に制約がある。
【０００５】
このため、同軸ケーブルで撮像カメラ間を接続せずに済む方法が望まれるが、撮像カメラに搭載されている内蔵タイマの時刻を映像データにスタンプする方法では、図３の（Ａ）〜（Ｃ）に示すように同期の保証がないため用いることができない。
【０００６】
【課題を解決するための手段】
かかる課題を解決するため、以下の手段を提案する。
【０００７】
（１）撮像部と、当該撮像部から与えられる映像データ（例えば、フレームデータ、フィールドデータ、ブロックデータその他の単位データ）にＧＰＳ受信機（内蔵のものに限らず、外付けのものもあり得る。）から与えられるユニバーサルタイムコード（ＵＴＣ：Universal Time Code）を付与するタイムスタンプ部とを備える撮像装置を提案する。
【０００８】
ここでの撮像装置には、カメラ一体型のビデオレコーダの他、カメラ単独のものやスチルカメラも含まれる。また、ユニバーサルタイムコードを付与した映像データの出力先は、撮像装置内部の記憶装置でも良いし、外部の記憶装置でも良い。なお、記憶媒体には、磁気テープの他、ハードディスク等の磁気記憶媒体、読み書き可能型のコンパクトディスク等の光又は光磁気記憶媒体、メモリカード等の半導体記憶媒体を用い得る。
【０００９】
このように映像データに付与するタイムコードをユニバーサルタイムコードとすることにより、複数の撮像装置間を同軸ケーブルで結ばなくてもタイムコードの同期を確保できる。この結果、撮像時に要する作業の簡略化と資材の減量を可能とできる。また、同軸ケーブルに接続しなくて済むため、現場での撮像装置の移動の自由度を向上できる。
【００１０】
なお、かかる撮像装置を用いてイベントの収録に使用すれば、複数の撮像装置を使用する場合でも、各撮像装置で撮像された映像データの時間軸はユニバーサルタイムコードに統一されるため、映像再生機間における位置決め誤差を無視できる限り、ユニバーサルタイムコードを基準に編集場面の前後でずれのない編集を実現できる。もっとも、映像再生機間に位置決め誤差がある場合でも、そのオフセット量を見越した時間指定を行うことにより、ずれのない編集を実現できる。
【００１１】
また、ユニバーサルタイムコードで特定可能な時間位置（最小桁の変更位置）よりも細かい時間位置を編集点として指定する場合には、ユニバーサルタイムコードと共に記憶されている記録単位情報（例えば、フレーム番号）を参照することにより、同期のとれた編集を実現できる。
【００１２】
（２）撮像部と、当該撮像部から与えられる映像データ（例えば、フレームデータ、フィールドデータ、ブロックデータその他の単位データ）にＧＰＳ受信機（内蔵のものに限らず、外付けのものもあり得る。）から与えられるユニバーサルタイムコード（ＵＴＣ：Universal Time Code）を付与するタイムスタンプ部とを備える映像データ処理装置を提案する。
【００１３】
ここでの映像データ処理装置には、撮像部を有する携帯情報機器（例えば、携帯情報端末、ノートパソコン、携帯電話機も含む。）、その他の電子機器も含まれる。この場合もユニバーサルタイムコードを付与した映像データの出力先は、映像データ処理装置内部の記憶装置でも良いし、外部の記憶装置でも良い。記憶媒体についても同じである。
【００１４】
またこの場合にも、映像データに付与するタイムコードをユニバーサルタイムコードとすることにより、複数の映像データ処理装置間を同軸ケーブルで結ばなくてもタイムコードの同期を確保できる。この結果、撮像時に要する作業の簡略化と資材の減量を可能とできる。また、同軸ケーブルに接続しなくて済むため、現場での映像データ処理装置の移動の自由度を向上できる。
【００１５】
なお、かかる撮像装置を用いてイベントの収録に使用すれば、複数の撮像装置を使用する場合でも、各撮像装置で撮像された映像データの時間軸はユニバーサルタイムコードに統一されるため、映像再生機間における位置決め誤差を無視できる限り、ユニバーサルタイムコードを基準に編集場面の前後でずれのない編集を実現できる。もっとも、映像再生機間に位置決め誤差がある場合でも、そのオフセット量を見越した時間指定を行うことにより、ずれのない編集を実現できる。
【００１６】
また、ユニバーサルタイムコードで特定可能な時間位置（最小桁の変更位置）よりも細かい時間位置を編集点として指定する場合には、ユニバーサルタイムコードと共に記憶されている記録単位情報（例えば、フレーム番号）を参照することにより、同期のとれた編集を実現できる。
【００１７】
（３）撮像装置より与えられる映像データ（例えば、フレームデータ、フィールドデータ、ブロックデータその他の単位データ）にＧＰＳ受信機（内蔵のものに限らず、外付けのものもあり得る。）から与えられるユニバーサルタイムコード（ＵＴＣ：Universal Time Code）を付与するタイムスタンプ部を備える映像データ処理装置を提案する。
【００１８】
ここでの映像データ処理装置には、撮像装置を搭載しない携帯情報機器（例えば、携帯情報端末、ノートパソコン、携帯電話機も含む。）、その他の電子機器も含まれる。この場合もユニバーサルタイムコードを付与した映像データの出力先は、映像データ処理装置内部の記憶装置でも良いし、外部の記憶装置でも良い。記憶媒体についても同じである。
【００１９】
またこの場合にも、映像データに付与するタイムコードをユニバーサルタイムコードとすることにより、複数の映像データ処理装置間を同軸ケーブルで結ばなくてもタイムコードの同期を確保できる。この結果、撮像時に要する作業の簡略化と資材の減量を可能とできる。また、同軸ケーブルに接続しなくて済むため、現場での映像データ処理装置の移動の自由度を向上できる。
【００２０】
なお、かかる撮像装置を用いてイベントの収録に使用すれば、複数の撮像装置を使用する場合でも、各撮像装置で撮像された映像データの時間軸はユニバーサルタイムコードに統一されるため、映像再生機間における位置決め誤差を無視できる限り、ユニバーサルタイムコードを基準に編集場面の前後でずれのない編集を実現できる。もっとも、映像再生機間に位置決め誤差がある場合でも、そのオフセット量を見越した時間指定を行うことにより、ずれのない編集を実現できる。
【００２１】
また、ユニバーサルタイムコードで特定可能な時間位置（最小桁の変更位置）よりも細かい時間位置を編集点として指定する場合には、ユニバーサルタイムコードと共に記憶されている記録単位情報（例えば、フレーム番号）を参照することにより、同期のとれた編集を実現できる。
【００２２】
（４）映像データと共に記憶されているユニバーサルタイムコード（ＵＴＣ：Universal Time Code）を参照し、複数の映像データを同期させる編集部と、複数の映像データ毎にユニバーサルタイムコードの最小単位よりも細かい単位でのオフセット量が記憶されるオフセット情報記憶部とを備え、オフセット量は、ユニバーサルタイムコードに対する映像データの読み出し位置の誤差を補正するための情報であるノンリニア編集装置を提案する。
【００２３】
このように編集対象とする映像データのいずれにもユニバーサルタイムコード（ＵＴＣ：Universal Time Code）が記憶されている場合、編集部は、映像再生機間における位置決め誤差を無視できる限り、ユニバーサルタイムコードを基準に編集場面の前後でずれのない編集を実現できる。もっとも、映像再生機間にテープの位置決め誤差がある場合でも、そのオフセット量を見越した時間指定を行うことにより、ずれのない編集を実現できる。
【００２４】
なお、ユニバーサルタイムコードで特定可能な時間位置（最小桁の変更位置）よりも細かい時間位置が編集点として指定された場合でも、ユニバーサルタイムコードと共に記憶されている記録単位情報（例えば、フレーム番号）を参照することにより、同期のとれた編集を実現できる。
【００２５】
【発明の実施の形態】
以下、上述の解決手段の実施形態例として、本発明の好ましい実施の形態について、図面を参照しながら説明する。
【００２６】
（１）撮像装置
図１に、撮像装置の実施形態例を示す。ここでは、カメラ一体型ビデオテープレコーダの場合について説明する。ただし、図１においては、カメラ一体型ビデオテープレコーダのうち本願発明に関連する機能ブロック部分のみを表わすこととし、表示に直接関係しない部分についてはその表示を省略している。
【００２７】
図１の場合、カメラ一体型ビデオテープレコーダ１０は、ＧＰＳ受信機１１と、撮像部１２と、マイク部１３と、タイムスタンプ部１４と、記憶部１５と、外部インターフェース（Ｉ／Ｆ）１６とを有している。
【００２８】
ＧＰＳ受信機１１は、受信可能な複数のＧＰＳ衛星の位置情報（仰角と水平角）とそれらより受信された原始時計の値から各ＧＰＳ衛星までの距離と伝播遅延量を計算し、これらよりユニバーサルタイムコードを算出する。この実施形態では、ユニバーサルタイムコードとして「時：分：秒」（例えば「００：００：００」）を出力する。勿論、出力形式はこれに限るものではなく、１秒以下の時間まで出力させることは可能である。
【００２９】
因みに、算出されるユニバーサルタイムコードの誤差は、この種の用途で用いる範囲において無視できるものである。従って、異なる地点でＧＰＳ信号を受信する場合でも、同一時刻には同一のユニバーサルタイムコードが得られる。
【００３０】
ＧＰＳ受信機１１は、カメラ一体型ビデオテープレコーダ１０に内蔵されていても、外部に設けられていても良い。ＧＰＳ受信機１１をカメラ一体型ビデオテープレコーダ１０の外部に設ける場合には、算出されたユニバーサルタイムコードを有線伝送路又は無線伝送路を通じて本体側に通知すれば良い。勿論、他の用途で使用する場合には、位置情報についても本体側に伝送される。無線による伝送方法としては、赤外線などの光を使用するもの、ブルートゥース方式その他の方式のように高周波帯域の無線波を使用するものがある。
【００３１】
撮像部１２は、撮像光学系と映像処理系で構成されている。この映像処理系は、撮像光学系で撮像された映像信号をディジタル信号として処理する。なお、映像処理系には圧縮符号化機能が内蔵されている。圧縮符号化された映像データはフレーム単位で出力される。従って、１秒間に３０フレーム分の映像データが出力される。
【００３２】
マイク部１３は、マイクロホンと音声処理系で構成される。音声処理系は、マイクロホンから入力される音声信号をディジタル信号として処理する。この音声処理系にも圧縮符号化機能が内蔵されている。圧縮符号化された音声データがフレーム単位で出力される点は映像データと同じである。
【００３３】
なお本実施形態はカメラ一体型ビデオテープレコーダを対象としているため、マイク部１３を設けているが、適用する電子機器（例えば、電子スチルカメラ）によっては、マイク部１３を用いない構成もあり得る。
【００３４】
タイムスタンプ部１４は、ＧＰＳ受信機１１から入力されるユニバーサルタイムコードと、撮像部１２から入力される映像データと、マイク部１３から入力される音声データとを多重して多重データを生成する。この結果、フレームデータ（映像データ及び音声データ）にユニバーサルタイムコードが付与される。ここで、ユニバーサルタイムコードは、補助データの一部として付与される。
【００３５】
因みに、本実施形態におけるユニバーサルタイムコードの最小単位は１秒であるため、３０個のフレームデータには同一時刻のユニバーサルタイムコードが付与される。このカメラ一体型ビデオテープレコーダの場合、同一時刻が付与される３０個のフレームデータには（ユニバーサルタイムコードで特定可能な時間より細かい時間位置のフレームデータには）、記録単位の情報であるフレーム番号が付与される。このフレーム番号によって１秒未満の時間位置を編集点に特定することが可能となる。
【００３６】
記憶部１５は、タイムスタンプ部１４の出力であるユニバーサルタイムコード付きの音声映像データをビデオテープに記憶する手段である。図４に、記憶部１５によるビデオテープ４１への記録例を示す。図４において斜め右方向に伸びるトラック４２の１つ１つがフレームに対応する。これらのトラック４２には、例えば音声データ４３、映像データ４４、補助データ４５が記録される。この図４の例では、補助データ４５の部分にユニバーサルタイムコード４６を記録している。なお、各データの記録位置は図４の場合に限らない。記録位置は記録フォーマットに依存する。従って、補助データ４５はテープの中央部分に記録されても良いし、図中上端側に記録されても良い。
【００３７】
なお、音声映像データの記憶先としては、ビデオテープの他、半導体メモリ（長方形状、正方形状、カード状などの形状は問わない。）が考えられる。また、各種のディスク状記録媒体（磁気を用いて読み書きするもの、光を用いて読み書きするもの、光と磁気を用いて読み書きするもの）を記憶媒体とすることも考えられる。
【００３８】
この実施形態ではカメラ一体型ビデオテープレコーダを対象とするため、記憶部１５を撮像部１２と同じ筐体内に搭載しているが、適用する電子機器（例えば、単なる撮像カメラ）によっては、記憶部１５は撮像部１２とは別の筐体内に設けられていても良い。
【００３９】
外部インターフェース（Ｉ／Ｆ）１６は、タイムスタンプ部１４の出力であるユニバーサルタイムコード付きの音声映像データを外部の機器に対して直接伝送するための回路である。この外部インターフェース（Ｉ／Ｆ）１６から出力された音声映像データは外部に設けられた記憶部において、所定の記憶媒体に記憶されることになる。
【００４０】
外部の機器への伝送方法としては、有線路による方法と、無線による方法とが考えられる。ここで、無線による伝送方法としては、赤外線などの光を使用するもの、ブルートゥース方式その他の方式のように高周波帯域の無線波を使用するものがある。
【００４１】
（２）編集システム
図５に、編集システムの実施形態例を示す。ここでは、放送局において使用される編集システムについて説明する。なお言うまでもないが、編集システムの設置場所は放送局内に限らず、映像制作会社、出版会社その他の事業者設備内や個人宅内も含まれる。編集システムの構成は必要とされる内容や規模に応じて異なる。
【００４２】
図５の場合、編集システム２０は、ノンリニア編集機２１と、ＶＴＲ再生機２２と、ビデオサーバ２３と、制御部２４と、撮像カメラ２５と、ルータ２６と、送出部２７とを有している。
【００４３】
ノンリニア編集機２１は、ビデオサーバ２３に蓄積されている素材データ（音声データ、映像データ）を読み込んで画像の編集を行う装置である。なお、図示されていないが、ノンリニア編集機２１は、ＶＴＲ再生機２２から素材データを直接読み込んで画像の編集を行うこともできる。勿論、ここで使用する映像データには、いずれもユニバーサルタイムコードが付与されている。
【００４４】
図６に、ノンリニア編集機２１の機能ブロック構成を示す。なお図６は、本発明と直接関連する部分のみを表したものである。図６に示すように、ノンリニア編集機２１は、操作部２１Ａと、オフセット情報記憶部２１Ｂと、編集部２１Ｃとを主要な構成とする。
【００４５】
操作部２１Ａは、編集部２１Ｃに編集内容を指示する入力手段である。編集内容には、例えば、対象とする素材、編集開始位置、編集終了位置、編集項目（切り替え、ミックス、ワイプ等）、制御対象とするＶＴＲ再生装置等が含まれる。
【００４６】
オフセット情報記憶部２１Ｂは、ＶＴＲ再生機２２やビデオサーバ２３による素材データの読み出し位置に機械的な誤差（オフセット）が含まれる場合に、これを修正するために用意された手段である。
【００４７】
オフセット情報記憶部２１Ｂには、各素材データ毎のオフセット量が記憶される。図７に、オフセット量の一例を示す。図７の場合、ユニバーサルタイムコード（ＵＴＣ）で指定された編集位置に対し、ビデオテープＡ（TAPE A）の読み出しデータには「−３フレーム」の補正が必要であること、ビデオテープＢ（TAPE B）の読み出しデータには「＋１０フレーム」の補正が必要であること、ビデオテープＣ（TAPE C）の読み出しデータには「０フレーム」の補正が必要であること（すなわち、補正は不要）を表わしている。
【００４８】
すなわち、ユニバーサルタイムコードの「１０：３０：２０：００」を編集位置とする場合、ビデオテープＡ（TAPE A）の素材データを読み出す際には「１０：３０：１９：２７」を指定して読み出しを行えば、実際に読み出される素材データの時刻がユニバーサルタイムコードの「１０：３０：２０：００」に一致すること、ビデオテープＢ（TAPE B）の素材データを読み出す際には「１０：３０：２０：１０」を指定して読み出しを行えば、実際に読み出される素材データの時刻がユニバーサルタイムコードの「１０：３０：２０：００」に一致することを表わしている。
【００４９】
勿論、オフセット量を考慮する必要がない場合には、ビデオテープＣ（TAPE C）の例のようにオフセット量が「０フレーム」に設定される。
【００５０】
編集部２１Ｃは、オフセット情報記憶部２１Ｂに記憶されているオフセット情報に基づいて素材データの読み出しを実行し、指定された編集内容に従って編集動作を実行する。
【００５１】
なお、ユニバーサルタイムコードで特定可能な時間位置（１秒の桁の変更直後又は直前）の場合、編集部２１Ｃはユニバーサルタイムコードを監視するだけで頭出しを行う。もっともこの場合でも、フレーム番号まで参照して頭出しをすることは自由である。
【００５２】
一方、ユニバーサルタイムコードだけで特定できない時間位置、例えば「１０：３０：２０（時：分：秒）」の第２０フレームが指定された場合、編集部２１Ｃはユニバーサルタイムコードだけでなくフレーム番号も合わせて参照することで編集位置の頭出しを行う。
【００５３】
これらの編集結果は編集部２１Ｃよりビデオサーバ２３に出力される。以上が、ノンリニア編集機２１の構成である。
【００５４】
ＶＴＲ再生機２２は、ビデオテープから素材データを再生し、データサーバ２３に記憶する。なお、ＶＴＲ再生機２２は、ノンリニア編集機２１からデータの再生が要求された場合には、再生された素材データをノンリニア編集機２１へ出力する。因みに、ノンリニア編集機２１に直接制御される場合には、ＶＴＲ再生機２２は、指定されたユニバーサルタイムコードからデータの読み出しを開始する。なお、ビデオテープ以外の記憶媒体に素材データが記憶されている場合には、各記憶媒体に応じた再生機が使用される。
【００５５】
ビデオサーバ２３は、ＶＴＲ再生機２２で再生された素材データやノンリニア編集機２１で編集された編集データ（映像データ、音声データ）を記憶する記憶装置で構成される。一般にはハードディスク装置が使用される。もっとも、その他の記憶再生装置、例えば光ディスク装置や光磁気ディスク装置を使用することもできる。
【００５６】
制御部２４は、ビデオサーバ２３の制御用である。必要に応じてノンリニア編集機２１と通信し、必要とする素材データの読み出しと格納を実行する。
【００５７】
撮像カメラ２５は、ライブ映像データの取り込み用である。この撮像カメラ２５は、スタジオ内又は現場に配置されている。
【００５８】
ルータ２６は、ビデオサーバ２３から読み出された編集済みの映像データと、ＶＴＲ再生機２２で再生された映像データと、撮像カメラ２５で撮像されたライブ映像データとを入力し、それらのうちいずれかを選択的に出力する手段である。
【００５９】
送出部２７は、ルータ２６で選択された映像データを放送信号として出力するためのインターフェース部である。伝送路に応じたインターフェースが使用される。
【００６０】
（３）使用例
図８に、ゴルフ場での収録にカメラ一体型ビデオテープレコーダ１０を用いる場合の使用例を示す。前述のように、これらカメラ一体型ビデオテープレコーダ１０は、いずれもタイムコードにユニバーサルタイムコードを用いるため、同軸ケーブルで相互接続しなくても各カメラのタイムコードは同期した状態にある。従って、図９の（Ａ）〜（Ｃ）に示すように、カメラ一体型ビデオテープレコーダ１０のそれぞれにおいてビデオテープに記録されるデータの内容は同時刻のデータには同一のタイムコードが確実に付与されることになる。
【００６１】
（４）実施形態の効果
以上のように、映像データに付与するタイムコードをユニバーサルタイムコードに統一したことにより、複数のカメラ一体型テープレコーダ間を同軸ケーブルで結ばなくてもタイムコードの同期を確保できる。この結果、撮像時に要する作業の簡略化と資材の減量を可能とできる。また、同軸ケーブルに接続しなくて済むため、現場での撮像装置の移動の自由度を格段に向上できる。
【００６２】
また、かかるカメラ一体型テープレコーダをイベントの収録に使用することにより、複数の撮像装置を使用する場合でも、ユニバーサルタイムコードを基準にした編集場面の前後でずれのない編集画像を得ることができる。
【００６３】
なお、再生機器（ＶＴＲ再生機２２だけでなくビデオサーバ２３も含む）に位置決め誤差がある場合でも、そのオフセット量を見越した時間指定を行うことにより、ずれのない編集を実現できる。
【００６４】
また、ユニバーサルタイムコードで特定可能な時間位置よりも細かい時間位置（１秒未満の位置）を編集点として指定する場合には、ユニバーサルタイムコードと共に記憶されているフレーム番号を参照することにより、同期のとれた編集を実現できる。
【００６５】
（５）他の実施形態
上述の実施形態例においては、カメラ一体型テープレコーダの場合について述べたが、図１に示す構成要素の組み合わせにより様々な形態の電子機器においても同様に適用し得る。
【００６６】
例えば、撮像部１２とタイムスタンプ部１４を備える撮像装置に適用することができる。この撮像装置には、撮像カメラ装置（記憶部１５を有しないもの。ＧＰＳ受信機１１は内蔵していても外部接続であっても構わない。）、電子スチルカメラ（記憶部１５を有していてもいなくても良い。同じくＧＰＳ受信機１１は内蔵していても外部接続でも良い。）等が考えられる。なお、記憶部を有しない場合には外部との通信部を必要とする。いずれの場合も実施形態と同様の効果が期待できる。
【００６７】
また、撮像部１２とタイムスタンプ部１４を備える映像データ処理装置に適用することができる。この映像データ処理装置には、カメラ搭載型の携帯情報端末、カメラ搭載型のノートパソコン、カメラ搭載型の携帯電話機、カメラ搭載型の腕時計等が考えられる。なお、いずれの場合も、記憶部１５を端末内に有していてもいなくても良い。ただし、記憶部１５を有しない場合には外部との通信部を必要とする。また、ＧＰＳ受信機１１を内蔵していてもしていなくても（すなわち外部接続でも）良い。）。勿論、いずれの場合にも実施形態と同様の効果が期待できる。
【００６８】
また、タイムスタンプ部１４を備える映像データ処理装置に適用することができる。この映像データ処理装置には、撮像装置を搭載しない携帯情報機器、例えば携帯情報端末、ノートパソコン、携帯電話機、腕時計、携帯型のＭＤレコーダ等が考えられる。なお、いずれの場合も、記憶部１５を端末内に有していてもいなくても良い。ただし、記憶部１５を有しない場合には外部との通信部を必要とする。また、ＧＰＳ受信機１１を内蔵していてもしていなくても（すなわち外部接続でも）良い。）。勿論、いずれの場合にも実施形態と同様の効果が期待できる。
【００６９】
上述の実施形態においては、編集システムとして図５に示すものを説明したが、最小セットとしてはユニバーサルタイムコードが映像データと共に記憶されている記憶媒体からデータを再生するための再生機と、ノンリニア編集機があれば良い。一般家庭の場合には、多くの場合、コンピュータが、ノンリニア編集機（編集ソフトウェア）と、再生機（ＤＶＤ装置等）と、ビデオサーバ（ハードディスク装置等）の機能を提供する。
【００７０】
また、上述の実施形態においては、ノンリニア編集機にオフセット情報記憶部２１Ｂを搭載しているが、編集位置の位置決めに誤差が生じ得ないことが明らかなシステムでは必要としない。
【００７１】
【発明の効果】
（１）本発明によれば、撮像装置に、内部に搭載された撮像部から与えられる映像データにＧＰＳ受信機から与えられるユニバーサルタイムコード（ＵＴＣ：Universal Time Code）を付与するタイムスタンプ部とを設けたことにより、複数の撮像装置間を同軸ケーブルで結ばなくてもタイムコードの同期を確保できる。
【００７２】
（２）本発明によれば、撮像部を有する映像データ処理装置に、撮像部から与えられる映像データにＧＰＳ受信機から与えられるユニバーサルタイムコード（ＵＴＣ：Universal Time Code）を付与するタイムスタンプ部を設けたことにより、複数の撮像装置間を同軸ケーブルで結ばなくてもタイムコードの同期を確保できる。
【００７３】
（３）本発明によれば、映像データ処理装置に、外部に設けられた撮像装置より与えられる映像データにＧＰＳ受信機から与えられるユニバーサルタイムコード（ＵＴＣ：Universal Time Code）を付与するタイムスタンプ部を設けたことにより、複数の撮像装置間を同軸ケーブルで結ばなくてもタイムコードの同期を確保できる。
【００７４】
（４）本発明によれば、編集装置に、映像データと共に記憶されているユニバーサルタイムコード（ＵＴＣ：Universal Time Code）を参照し、複数の映像データを同期させる編集部を設けたことにより、ユニバーサルタイムコードを基準に編集場面の前後でずれのない編集を実現できる。
【図面の簡単な説明】
【図１】撮像カメラの実施形態例を示すブロック図である。
【図２】従来型の撮像カメラを用いる場合の使用例を示す図である。
【図３】内蔵タイマのタイムコードを撮像データに付与する場合の出力データ例を示す図である。
【図４】ビデオテープへの記録例を示す図である。
【図５】編集システムの構成例を示すブロック図である。
【図６】ノンリニア編集機の機能構成を示すブロック図である。
【図７】オフセット量の説明に供する図である。
【図８】本願発明に係る撮像カメラを用いる場合の使用例を示す図である。
【図９】ユニバーサルタイムコードを撮像データに付与する場合の出力データ例を示す図である。
【符号の説明】
１０  カメラ一体型ビデオテープレコーダ、１１  ＧＰＳ受信機、１２  撮像部、１３  マイク部、１４  タイムスタンプ部、１５  記憶部、１６  外部インターフェース（Ｉ／Ｆ）、２０  編集システム、２１  ノンリニア編集機、２２ＶＴＲ再生機、２３  ビデオサーバ、２４  制御部、２５  撮像カメラ、２６ルータ、２７  送出部
【図１】
0004164993.tif 000002
【図２】
0004164993.tif 000003
【図３】
0004164993.tif 000004
【図４】
0004164993.tif 000005
【図５】
0004164993.tif 000006
【図６】
0004164993.tif 000007
【図７】
0004164993.tif 000008
【図８】
0004164993.tif 000009
【図９】
0004164993.tif 000010